(57)【要約】【課題】カバ−体に設けた開口の係止具を片手で容易に開閉可能な魚釣用バックを提供することである。【解決手段】魚釣用バックは容器本体とトレ−２と蓋体とで構成されている。トレ−２には上方を覆うカバ−体４がトレ−２の周壁に固定されている。カバ−体４はメッシュ材や透光性材料等で内部が見える材料が使用され、カバ−体４に中央部を横切る傾斜した直線状で切り欠き状の開口４ａが形成されて開口にはスライドチャック５が取り付けられて係止具６で開閉される。カバ−体４の中央部の範囲は、カバ−体４の縦、横の夫々１／３の中心範囲とする。【選択図】        図４
2004194557.tif 000002
【特許請求の範囲】
【請求項１】
釣り用バッグの容器本体の開口にトレ−を設け、該トレ−は、上方を覆うカバ−体を有していると共に、前記カバ−体にその中央部を横切る切り欠き状の開口を設けたことを特徴とする釣り用バッグ。
【請求項２】
カバ−体の開口は係止具で開閉自在に形成されていることを特徴とする請求項１記載の釣り用バッグ。
【請求項３】
カバ−体の開口は直線状に形成されていることを特徴とする請求項１または２記載の釣り用バッグ。
【請求項４】
釣り用バッグの容器本体の開口をトレ−と共に覆う蓋体を有していることを特徴とする請求項１乃至３記載の釣り用バッグ。
【発明の詳細な説明】
【０００１】
【発明の属する技術分野】
本発明は、容器本体の開口に設けたトレ−の上方を覆うカバ−体の切り欠き状の開口に工夫をこらした釣り用バッグの改良に関する。
【０００２】
【従来の技術】
【特許文献１】特開２００２−２１８８８７号公報
【０００３】
従来の釣り用バッグは、上方に開口する容器本体と、この開口を閉塞する蓋体を有し、内部に釣具等を収納するようになっている。
また、この様なバッグは、釣りをしている時に頻繁に使用する物は容器本体に収納したものと区別して収納出来るように容器本体開口にトレ−を設けた物がある。
このようなトレ−は収納物がごぼれないように上部にカバ−を有し、そのカバ−にトレ−の外縁に沿って設けた開口を設け、この開口をチャックで開閉するようになっている。（特許文献１参照）
しかし、このトレ−の外縁に沿って設けた開口をチャックで開けると大きく口が開いて取り出しやすいが、両手を使わなければならないなど開閉し難く、開閉操作に時間が掛かるため、操作中の魚の当たりを見逃してしまう等対応に遅れてしまう心配があり、また、開閉操作に気を取られずに、手元を見なくても簡単に開閉できることが望まれていた。
【０００４】
【発明が解決しようとする課題】
解決しようとする課題は、トレ−の外縁に沿ってカバ−体にコ字状の開閉ファスナ−を設け、片手で係止具を掴んで開閉しようとすると、開閉し難いことである。
【０００５】
本発明の目的は前記欠点に鑑み、カバ−体に設けた開口の係止具を片手で容易に開閉可能な釣り用バッグを提供することである。
【０００６】
【課題を解決するための手段】
上記課題を解決するために、
請求項１に係わる本発明は、釣り用バッグの容器本体の開口にトレ−を設け、該トレ−は、上方を覆うカバ−体を有していると共に、前記カバ−体にその中央部を横切る切り欠き状の開口を設けたことを要旨とするものである。
請求項２に係わる本発明は、カバ−体の開口は係止具で開閉自在に形成されていることを要旨とするものである。
請求項３に係わる本発明は、カバ−体の開口は直線状に形成されていることを要旨とするものである。
請求項４に係わる本発明は、釣り用バッグの容器本体の開口をトレ−と共に覆う蓋体を有していることを要旨とするものである。
【０００７】
【発明の実施の形態】
本発明においては、トレ−２の周壁に固定されたカバ−体４の開口４ａ、４ｂ、４ｃ、４ｄ、４ｅ、４ｆは中央部を横切る切り欠き状の開口なので、短い距離の開閉操作でその開口からトレ−２内に手を入れてトレ−２内のどこでも容易に手が届くようになって物が取り出し易い。
カバ−体４の開口４ａ、４ｃ、４ｄ、は直線状に形成されているため、開閉操作が容易となり、係止具６、係止ベルト１５等を見ながら行わなくても開閉できる。
【０００８】
【実施例】
以下、図示の実施例によって本発明を説明すると、図１から図４は第１実施例で、図１は蓋体を閉じた釣り用バッグの斜視図、図２は蓋体を開いた釣り用バッグの斜視図、図３は蓋体とトレ−を開いた釣り用バッグの斜視図、図４はトレ−の平面図と一部拡大平面図である。
【０００９】
魚釣用バックは四角の箱型の容器本体１とトレ−２と蓋体３とで構成されている。
容器本体１はエチレン酢酸ビニ−ルやポリウレタン等の合成樹脂で一体に形成したり、また、これらの材料のシ−トを貼り合わせて形成し、開口に沿って金属製や合成樹脂製の容器本体１を構成する材料より剛性が大きいフレ−ムを有し、容器本体１の開口をフレ−ムで折り返して固定され、開口の形状が保持されている。
容器本体１の前側には小物入れポケット１０が取り付けられている。
容器本体１の両側上部にはベルト保持部１１が設けられて肩掛けベルト１２が取り付けられている。
【００１０】
トレ−２は、エチレン酢酸ビニ−ルやポリウレタン等の合成樹脂やゴム等の発泡体の両面をナイロン、ボリプロピレン等の合成樹脂の繊維から成る織布が貼着されたシ−トを熱プレスして一体に凹部を有する皿型に形成され、容器本体１の開口に合致した矩形の底部を有する四角の箱形状で、前記開口の内側に嵌合し前記開口を開閉できると共に開口の内側に落ち込まない寸法形状に形成されて、前記開口に係止されている。
トレ−２の一側奥側にはヒンジ部が設けられて蓋体３に設けられたヒンジ部と一緒に容器本体１の後壁に開閉自在に固定されている。
トレ−２の内側には適宜大きさに区分する仕切り壁を設けてもよい。
トレ−２には上方の開口部（トレ−２の開口部）を覆うカバ−体４がトレ−２の周壁に固定されている。
【００１１】
カバ−体４はメッシュ材や透光性材料等でカバ−体４を通して内部が見える材料が使用され、カバ−体４に中央部を四角の箱形状トレ−２の角部から角部へ対角線の方向へ横切る斜め方向でその形状が直線状で切り欠き状の開口４ａが形成されて開口にはスライドチャック５が取り付けられて係止具６で開閉される。
トレ−２の周縁はカバ−体４より上方に達しており、カバ−体４の上にも物を置くことができる。
カバ−体４の中央部の範囲は、カバ−体４の縦、横の夫々１／３の中心範囲とする。
トレ−２の周縁の手前側の内側に係止具１３が取り付けられている。
【００１２】
蓋体３は容器本体１と同様にエチレン酢酸ビニ−ルやポリウレタン等の合成樹脂で皿型に形成したり、トレ−２と同様にはエチレン酢酸ビニ−ルやポリウレタン等の合成樹脂やゴム等の発泡体の両面をナイロン、ボリプロピレン等の合成樹脂の繊維から成る織布が貼着されたシ−トを熱プレスして一体に凹部を有する皿型に形成されている。
蓋体３の一側奥側にはヒンジ部が設けられて容器本体１の後壁に開閉自在に固定されている。
トレ−２の周縁外側は蓋体３の中に嵌合可能に形成されている。
【００１３】
蓋体３の手前側の内側に係止ベルト１４の一端が固定されている。
係止ベルト１４の自由端の裏面にはベルベット式雌面ファスナ−と雄面ファスナ−が固定されている。
係止ベルト１４をトレ−２の係止具１３に通して面ファスナ−を係合して蓋体３にトレ−２を取り付けておくと、蓋体３を開閉する時トレ−２も同時に開閉することが出来る。
【００１４】
前記のように魚釣用バックが構成されると、カバ−体４を通してトレ−２に収納した物が視認できるため、目的のものをカバ−体４の外側から見付けることができる。
また、トレ−２の周壁に固定されたカバ−体４の開口４ａは中央部を横切る切り欠き状の開口なので、短い距離の開閉操作でその開口からトレ−２内に手を入れてトレ−２内のどこでも容易に手が届くようになって物が取り出し易い。
カバ−体４の開口４ａは直線状に形成されているため、開閉操作が容易となり、係止具６等を見ながら行わなくても開閉できる。
また、カバ−体４の開口４ａはトレ−２の周縁まで達しない長さに形成されており、また、スライドチャック５の係止具６もトレ−２の周縁に接しないようになっているため、スライドチャック５が周縁に引掛からないなどその操作が周縁の影響を受けずにスム−ズに行える。
さらに、開口４ａから周縁までの間にもカバ−体４が形成されているため、トレ−２の周縁側に収納したものも容易に見付けることができる。
【００１５】
図５は第２実施例で、トレ−の平面図である。
【００１６】
第２実施例では、トレ−２には上方を覆うカバ−体４がトレ−２の周壁に固定され、カバ−体４はメッシュ材や透光性材料等で内部が見える材料が使用されて、カバ−体４に中央部を横切る円弧形状で切り欠き状の開口４ｂが形成されて開口にはスライドチャック５が取り付けられて係止具６で開閉される。
この円弧形状は急な方向変化がない。
一方向の湾曲で形成され、開口の両端の方向の差が９０°以内とすると滞りなく開閉できる。
他の構成は前記第１実施例と略同一である。
【００１７】
中央部を横切る円弧状で切り欠き状の開口４ｂが形成されて開口にはスライドチャック５が取り付けられて係止具６で開閉されるので、開閉操作が容易となり、係止具６等を見ながら行わなくても開閉できる。
【００１８】
図６は第３実施例で、トレ−の平面図である。
【００１９】
第３実施例では、トレ−２には上方を覆うカバ−体４がトレ−２の周壁に固定され、カバ−体４はメッシュ材や透光性材料等で内部が見える材料が使用されて、カバ−体４に中央部を横切る縦方向の切り欠き状の開口４ｃが形成されて開口にはスライドチャック５が取り付けられて係止具６で開閉される。
他の構成は前記第１実施例と略同一である。
【００２０】
中央部を横切る縦方向の切り欠き状の開口４ｃが形成されてこの直線状の開口にはスライドチャック５が取り付けられて係止具６で開閉されるので、開閉操作が容易となり、係止具６等を見ながら行わなくても開閉できる。
【００２１】
図７は第４実施例で、トレ−の平面図である。
【００２２】
第４実施例では、トレ−２には上方を覆うカバ−体４がトレ−２の周壁に固定され、カバ−体４はメッシュ材や透光性材料等で内部が見える材料が使用されて、カバ−体４に中央部を横切る横方向の切り欠き状の開口４ｄが形成されて開口にはスライドチャック５が取り付けられて係止具６で開閉される。
他の構成は前記第１実施例と略同一である。
【００２３】
中央部を横切る横方向の切り欠き状の開口４ｄが形成されてこの直線状の開口にはスライドチャック５が取り付けられて係止具６で開閉されるので、開閉操作が容易となり、係止具６等を見ながら行わなくても開閉できる。
【００２４】
図８は第５実施例で、トレ−の平面図である。
【００２５】
第５実施例では、トレ−２には上方を覆うカバ−体４がトレ−２の周壁に固定され、カバ−体４はメッシュ材や透光性材料等で内部が見える材料が使用されて、カバ−体４に中央部を横切る２組の円弧状で切り欠き状の開口４ｅ、４ｆが形成されて２組の開口には夫々スライドチャック５が取り付けられて係止具６で開閉される。
他の構成は前記第１実施例と略同一である。
【００２６】
中央部を横切る２組の円弧状で切り欠き状の開口４ｅ、４ｆが形成されて２組の開口には夫々スライドチャック５が取り付けられて係止具６で開閉されるので、開閉操作が容易となり、係止具６等を見ながら行わなくても開閉できる。
【００２７】
図９は第６実施例で、トレ−の平面図である。
【００２８】
第６実施例では、トレ−２には上方を覆うカバ−体４がトレ−２の周壁に固定され、カバ−体４はメッシュ材や透光性材料等で内部が見える材料が使用されて、カバ−体４に中央部を横切る傾斜した直線状で切り欠き状の開口４ａが形成されて開口の一方側にはベルベット式雌面ファスナ−が固定され、他方側にはベルト状係止具１５の一側が固定され、係止具１５の裏面にベルベット式雄面ファスナ−が固定されている。
他の構成は前記第１実施例と略同一である。
【００２９】
中央部を横切る傾斜した直線状で切り欠き状の開口４ａが形成されて開口の一方側にはベルベット式雌面ファスナ−が固定され、他方側には裏面にベルベット式雄面ファスナ−が固定された係止具１５が固定されているので、開閉操作が容易となり、係止具１５等を見ながら行わなくても開閉できる。
【００３０】
【発明の効果】
本発明は、以上説明したような形態で実施され、以下に記載されるような効果を奏する。
【００３１】
トレ−の周壁に固定されたカバ−体の開口は中央部を横切る切り欠き状の開口なので、短い距離の開閉操作でその開口からトレ−内に手を入れてトレ−内のどこでも容易に手が届くようになって物が取り出し易い。
また、カバ−体の開口が直線状に形成されていると、開閉操作が容易となり、係止具等を見ながら行わなくても開閉できる。
【図面の簡単な説明】
【図１】第１実施例で、蓋体を閉じた釣り用バッグの斜視図である。
【図２】同蓋体を開いた釣り用バッグの斜視図である。
【図３】同蓋体とトレ−を開いた釣り用バッグの斜視図である。
【図４】同トレ−の平面図と一部拡大平面図である。
【図５】第２実施例で、トレ−の平面図である。
【図６】第３実施例で、トレ−の平面図である。
【図７】第４実施例で、トレ−の平面図である。
【図８】第５実施例で、トレ−の平面図である。
【図９】第６実施例で、トレ−の平面図である。
【符号の説明】
１  容器本体
２  トレ−
３  蓋体
４  カバ−体
４ａ、４ｂ、４ｃ、４ｄ、４ｅ、４ｆ  開口
４ａ、４ｃ、４ｄ  直線状開口
６、１５  係止具
【図１】
2004194557.tif 000003
【図２】
2004194557.tif 000004
【図３】
2004194557.tif 000005
【図４】
2004194557.tif 000006
【図５】
2004194557.tif 000007
【図６】
2004194557.tif 000008
【図７】
2004194557.tif 000009
【図８】
2004194557.tif 000010
【図９】
2004194557.tif 000011